(57)【要約】【課題】エアフィルターの自動清掃が可能で、コンパクトな空気調和機を提供すること。【解決手段】エアフィルター６を支持するフィルターワク２と、移動可能な吸引ノズル５と、吸引装置７とを備え、前記吸引装置７に連結し、前記吸引ノズル５の移動方向に沿って設けたダクト３と、前記ダクト３にシール手段４を設けて前記ノズル５と連結したフィルター装置１を空気調和機に備えることにより、エアフィルター６に付着した塵埃を自動清掃できるコンパクトな空気調和機が提供できる。【選択図】図７
2006284044.tif 000002
【特許請求の範囲】
【請求項１】
熱交換器を通過する空気の塵埃を除去するエアフィルターと、前記エアフィルターを支持するワクと、移動可能な吸引ノズルと、吸引装置から成るフィルター装置において、前記吸引装置に連結したダクトを設け、前記ダクトにシール手段を備えて前記吸引ノズルと連結したことを特徴とする空気調和機のフィルター装置。
【請求項２】
前記フィルター装置において、前記ダクトに設けたシール手段にファスナーを備えたことを特徴とする請求項１記載の空気調和機のフィルター装置。
【請求項３】
前記フィルター装置において、前記ダクトに移動可能なシール手段を備えたことを特徴とする請求項１記載の空気調和機のフィルター装置。
【請求項４】
前記フィルター装置において、前記ダクトに移動可能なシール手段と、前記シール手段を駆動させる駆動手段を設けたことを特徴とする請求項３記載の空気調和機のフィルター装置。
【請求項５】
前記請求項１から４のいずれかのフィルター装置を備えた空気調和機。
【発明の詳細な説明】
【技術分野】
【０００１】
本発明は、エアフィルターの清掃を自動的に行うようにした空気調和機のフィルター装置に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、特許文献１のようにエアフィルターに付着した塵埃をブラシにて定期的に清掃する自動清掃装置が考案されている。
【特許文献１】特開２００４−１０１１０１号公報
【発明の開示】
【発明が解決しようとする課題】
【０００４】
しかしながら、上記従来技術では、ある程度の時間が経過したらブラシで掻き落として集めた塵埃を処理しなくてはならずメンテナンスの手間が大幅に軽減されるものではなかった。また、エアフィルターを往復移動させるためのスペースが必要であり、空気調和機のコンパクト化が容易ではなかった。こうした観点からエアフィルターの自動清掃装置としてはフィルターに付着した塵埃を吸引清掃し、吸引された塵埃を集塵装置に集塵もしくは室外へ排出する清掃方法が好ましい。
【０００５】
本発明は、前記従来の課題を解決するもので、空気調和機のメンテナンス性に優れたフィルター装置を提供するものである。
【課題を解決するための手段】
【０００６】
前記課題を解決するため本発明は、熱交換器を通過する空気の塵埃を除去するエアフィルターと、前記エアフィルターを支持するワクと、移動可能な吸引ノズルと、吸引装置から成るフィルター装置において、前記吸引装置に連結したダクトを設け、前記ダクトにシール手段を備えて前記吸引ノズルと連結した空気調和機のフィルター装置を提供するものである。
【０００７】
これによって、エアフィルターの吸引清掃を自動的に行うことが、コンパクトな構成で可能となる。
【発明の効果】
【０００８】
本発明の空気調和機のフィルター装置は、エアフィルターに付着した塵埃の自動清掃を可能にして、空気調和機のメンテナンス性向上と性能維持、および電気代の節約がコンパクトな構成で可能となる。
【発明を実施するための最良の形態】
【０００９】
第１の発明は、熱交換器を通過する空気の塵埃を除去するエアフィルターと、前記エアフィルターを支持するワクと、移動可能な吸引ノズルと、吸引装置から成るフィルター装
置において、前記吸引装置に連結したダクトを設け、前記ダクトにシール手段を備えて前記吸引ノズルと連結したことにより、エアフィルターに付着する塵埃を自動で吸引清掃することがコンパクトな構成で可能となる。
【００１０】
第２の発明は、特に、第１の発明のフィルター装置において、前記ダクトに設けたシール手段にファスナーを備えたもので、これにより、前記ダクト部の気密性の向上が図れる。
【００１１】
第３の発明は、特に、第１の発明のフィルター装置において、前記ダクトに移動可能なシール手段を備えたもので、これにより、前記シール手段が前記吸引ノズルと連動して移動可能となるため、前記吸引ノズルの駆動安定化と前記ダクト部の気密性の向上が図れる。
【００１２】
第４の発明は、特に、第３の発明のフィルター装置において、前記ダクトに移動可能なシール手段と、前記シール手段を駆動させる駆動手段を設けたもので、これにより、前記吸引ノズルの駆動手段を簡素化することができるため、フィルター装置の小型化が図れる。
【００１３】
第５の発明は、特に、第１から４の発明のいずれかのフィルター装置を空気調和機に備えたもので、これにより、空気調和機のコンパクト化を図りつつ、エアフィルターに付着した塵埃の自動吸引清掃が可能となる。
【００１４】
以下、本発明の実施の形態について、図面を参照しながら説明する。なお、この実施の形態によって本発明が限定されるものではない。
【００１５】
（実施の形態１）
図１は本発明の実施の形態１における空気調和機のフィルター装置の斜視図、図２は本発明の実施の形態１における吸引ノズルの構成を示した断面図および平面図、図３は本発明の実施の形態１におけるダクト部の構成を示した斜視図である。
【００１６】
図１において、熱交換器を通過する空気の塵埃を除去するエアフィルター６は、フィルターワク２に支持固定され、エアフィルター６の表面に沿って移動可能な吸引ノズル５が設けてある。吸引ノズル５はフィルターワク２の上下端に設置されたガイドレール１５ａ、１５ｂにより支持されて、エアフィルター６と極めて狭い隙間を保って円滑に左右に移動することができる。ここで、吸引ノズル５は、フィルターワク２の下部に備えたワイヤー９と駆動モータ１０で左右に駆動される。そして、吸引ノズル５にはダクト３が連結され、ダクト３は吸引装置７に連結される。また、吸引装置７には排気ダクト８が連結され、室外へ引き回される。
【００１７】
図２において、吸引ノズル５には吸引口５ａが設けてあり、エアフィルター上に付着した塵埃はこの吸引口５ａより吸引される。
【００１８】
図３において、ダクト３には吸引ノズル５が移動可能なように収納できる溝３ａと、溝３ａをシールするゴムシートで形成したシール手段４を設けている。このシール手段４には、吸引ノズル５の移動方向に沿った切り込み４ｃを施している。
【００１９】
以上のような構成において、吸引装置７によって発生する吸引風により、エアフィルター上の塵埃は、吸引口５ａから吸引ノズル５内部に入り、さらにダクト３、吸引装置７、排気ダクト８を経由して室外へ排出される。そして、吸引動作中に吸引ノズル５を左右に駆動させることで、エアフィルター全面を清掃することが可能となる。
【００２０】
本発明の実施の形態によれば、吸引ノズル５と吸引装置７を連結するにあたり、伸縮自在もしくは屈曲自在なダクトを引き回さなくてもよく、フィルター装置１の大幅な拡大化を図ることなくエアフィルター６の自動清掃化が可能となる。
【００２１】
尚、本発明の実施の形態においては、シール手段４にゴムシートを用いたが、樹脂材からなるシート状のものを用いてもよい。
【００２２】
（実施の形態２）
図４は本発明の実施の形態２におけるダクト部の構成を示した斜視図である。
【００２３】
以下の説明において、実施の形態１の説明と重複するフィルター装置１の構成、動作に関する説明は省略する。
【００２４】
図４に示すように、シール手段４にファスナー２０を取付けたものである。
【００２５】
このような構成をとることにより、ダクト３の気密性を向上させることができるため、吸引口５ａの吸引風速が増大し、エアフィルター６に付着した塵埃を確実に吸引することが可能となる。
【００２６】
（実施の形態３）
図５は本発明の実施の形態３におけるダクト部の構成を示した斜視図である。
【００２７】
以下の説明において、実施例１，２と重複する説明は省略する。
【００２８】
図５に示すように、ダクト３の内部に吸引ノズル５が連結され開口した帯状のシール手段４が、回転自在なローラー４ａ、４ｂで支持して設けてあり、吸引ノズル５の移動とともに作動しながらダクト３に設けた溝３ａをシールする構造と成っている。
【００２９】
このような構成をとることにより、ダクト３の気密性を確保しながら、吸引ノズル５の円滑な左右移動動作を得ることができるため、吸引口５ａの吸引風速を増大させるとともに、吸引ノズル５とエアフィルター６の隙間の安定化が図れ、エアフィルター６に付着した塵埃をより確実に吸引することが可能となる。
【００３０】
（実施の形態４）
図６は本発明の実施の形態４におけるダクト部の構成を示した斜視図である。
【００３１】
以下の説明において、実施の形態１から３と重複する説明は省略する。
【００３２】
図６に示すように、実施の形態３で記述したダクト３内部に設けたローラー４ａまたは４ｂに、駆動モータ１０を連結したものである。
【００３３】
このような構成をとることにより、駆動モータ１０でローラー４ａまたは４ｂを回転させると、シール手段４が回転動作して、シール手段４に連結した吸引ノズル５を矢印Ａのように左右に移動させることができる。このため、実施の形態１で記述したワイヤー９が廃止でき、フィルター装置１の構成を簡素化できる。
【００３４】
（実施の形態５）
図７は本発明の実施の形態５における空気調和機の構成を示した断面図である。
【００３５】
図７に示すように、空気調和機の本体１３の内部には熱交換器１１が設けられ、空気の流路となる風流路１４が形成されている。この風流路１４内にはファン１２が配設され、本体１３の前面から上面に渡り形成される吸込口１６から吸い込み、吹出口１７から吹出す空気の流れを発生させている。そして、実施の形態１から４で述べたいずれかのフィルター装置１を、本体１３の前面から上面に渡り形成される吸込口１６と熱交換器１１の間にＬ字型の形状で配設している。
【００３６】
このような構成をとることにより、吸込口１６から吸込まれた空気に含まれる塵埃はフィルター装置１で集塵されるため、熱交換器１１へ塵埃が付着し、性能低下を引き起こすことを防ぐことができ、電気代が節約できる。また、実施の形態１で述べたように、フィルター装置１で集塵した塵埃は自動的に清掃処理されるため、メンテナンス性に優れた空気調和機が提供できる。さらに、実施の形態１から４で述べたように、フィルター装置１は小型化が可能であり、コンパクトな空気調和機が提供できる。
【産業上の利用可能性】
【００３７】
以上のように、本発明にかかる空気調和機のフィルター装置は、エアフィルターに付着した塵埃を自動で清掃できるため、空気清浄機など空気中の塵埃を集塵するエアフィルターを装着した機器にも適用できる。
【図面の簡単な説明】
【００３８】
【図１】本発明の実施の形態１におけるフィルター装置の斜視図
【図２】本発明の実施の形態１における吸引ノズルの構成を示した断面図および平面図
【図３】本発明の実施の形態１におけるダクト部の構成を示した斜視図
【図４】本発明の実施の形態２におけるダクト部の構成を示した斜視図
【図５】本発明の実施の形態３におけるダクト部の構成を示した斜視図
【図６】本発明の実施の形態４におけるダクト部の構成を示した斜視図
【図７】本発明の実施の形態５における空気調和機の構成を示した断面図
【符号の説明】
【００３９】
１  フィルター装置
２  フィルターワク
３  ダクト
３ａ  溝
４  シール手段
４ａ  ローラー
４ｂ  ローラー
４ｃ  切り込み
５  吸引ノズル
５ａ  吸引口
６  エアフィルター
７  吸引装置
８  排気ダクト
９  ワイヤー
１０  駆動モータ
１１  熱交換器
１２  ファン
１３  本体
１４  風流路
１５ａ  ガイドレール
１５ｂ  ガイドレール
１６  吸込口
１７  吹出口
２０  ファスナー
【図１】
2006284044.tif 000003
【図２】
2006284044.tif 000004
【図３】
2006284044.tif 000005
【図４】
2006284044.tif 000006
【図５】
2006284044.tif 000007
【図６】
2006284044.tif 000008
【図７】
2006284044.tif 000009